(57)【特許請求の範囲】
【請求項１】
画像形成装置を構成する各部品の構成材料名，部品としての再利用の可否，材料としての再利用の可否，燃料としての利用の可否，リサイクル不可等から複数の項目を選択し、それらの項目をまとめて表示する表示部を対象部品中に形成し、前記表示部に表示する項目をリサイクルの優先順に配列したことを特徴とするリサイクル表示付き画像形成装置。
【請求項２】
画像形成装置を構成する各部品の構成材料名，部品としての再利用の可否，材料としての再利用の可否，燃料としての利用の可否，リサイクル不可等から複数の項目を選択し、各部品ごとにそれらの項目をまとめて一覧表示する表示部を画像形成装置本体に形成し、前記表示部に表示する項目をリサイクルの優先順に配列したことを特徴とするリサイクル表示付き画像形成装置。
【請求項３】
部品としての再利用の可否，材料としての再利用の可否，燃料としての利用の可否，リサイクル不可の表示をマークによる表示としたことを特徴とする請求項１または請求項２記載のリサイクル表示付き画像形成装置。
【請求項４】
金属材料からなる部品に対しては、その部品に刻印または印刷あるいはシート部材の貼付の中の少なくとも１つによって前記表示部を形成することを特徴とする請求項１記載のリサイクル表示付き画像形成装置。
【請求項５】
樹脂材料からなる部品に対しては、その部品に刻印または印刷または一体成形あるいはシート部材の貼付の中の少なくとも１つによって前記表示部を形成することを特徴とする請求項１記載のリサイクル表示付き画像形成装置。
【請求項６】
前記シート部材は、樹脂材料の部品と同一材料もしくは材料の再利用上混在しても良い材料としたことを特徴とする請求項５記載のリサイクル表示付き画像形成装置。
【発明の詳細な説明】
【０００１】
本発明は、複写機，ファクシミリ装置，スキャナ等の画像形成装置を構成する各部品のリサイクル情報を使用者に提供するためのリサイクル表示付き画像形成装置に関する。
【０００２】
【従来の技術】
近年、環境問題や省資源，省エネルギー等への対処として、使用済みのものを再利用するリサイクル運動が大きな拡がりを見せている。
【０００３】
また、複写機等の画像形成装置の分野においても、例えば電子写真方式の複写機あるいはプリンタであれば、使用済みのトナーカートリッジを回収し、清掃等を行い新規トナーを収納することにより再度トナーカートリッジを利用することが行われている。
【０００４】
【発明が解決しようとする課題】
ところで、従来のリサイクル情報としては、材料名の表示しか行われていない。しかし、それでは材料としての再利用のための情報しか得られないため、部品としての再利用の可否については判断できない。さらに、表示されている材料として必ずしも再利用できるとは限らない。
【０００５】
本発明は、このような問題点を解決し、画像形成装置における各部品が、部品として再利用できるか否か，材料として再利用するか，燃料として利用できるか，リサイクル不可能な部品か等の情報が容易に得られるようなリサイクル表示付き画像形成装置を提供することを目的とする。
【０００８】
【課題を解決するための手段】
前記目的を達成するための本発明は、画像形成装置を構成する各部品の構成材料名，部品としての再利用の可否，材料としての再利用の可否，燃料としての利用の可否，リサイクル不可等から複数の項目を選択し、それらの項目をまとめて表示する表示部を対象部品中に形成し、前記表示部に表示する項目をリサイクルの優先順に配列したことを特徴とする。このような構成により、各部品ごとにリサイクル情報が得られ、リサイクルに関して適切な処理を行うことができる。また、リサイクルの優先順位を視覚的に容易に判断することができる。
【０００９】
また本発明は、画像形成装置を構成する各部品の構成材料名，部品としての再利用の可否，材料としての再利用の可否，燃料としての利用の可否，リサイクル不可等から複数の項目を選択し、各部品ごとにそれらの項目をまとめて一覧表示する表示部を画像形成装置本体に形成し、前記表示部に表示する項目をリサイクルの優先順に配列したことを特徴とする。このような構成により、部品のリサイクルをする上で、分解する以前に各部品のリサイクル性を確認することができる。また、リサイクルの優先順位を視覚的に容易に判断することができる。
【００１０】
また本発明は、部品としての再利用の可否，材料としての再利用の可否，燃料としての利用の可否，リサイクル不可の表示をマークによる表示としたことを特徴とする。このような構成により、視覚によってその部品のリサイクル性を容易に判断することができる。
【００１２】
また本発明は、金属材料からなる部品に対しては、その部品に刻印または印刷あるいはシート部材の貼付の中の少なくとも１つによって前記表示部を形成することを特徴とする。また、樹脂材料からなる部品に対しては、その部品に刻印または印刷または一体成形あるいはシート部材の貼付の中の少なくとも１つによって前記表示部を形成することを特徴とする。このような構成により、リサイクル情報を容易に表示することができる。
【００１３】
また本発明は、前記シート部材は、樹脂材料の部品と同一材料もしくは材料の再利用上混在しても良い材料としたことを特徴とする。このような構成により、材料再利用の際にデカルを取り外す手間が省け、作業効率が向上する。
【００１４】
【発明の実施の形態】
以下、本発明の実施形態について、図面をもとに詳細に説明する。
【００１５】
図１は本発明の第１実施形態の画像形成装置のリサイクル表示におけるリサイクル情報が記載されたデカルを示す説明図であり、１はシート部材であるデカルを示し、このデカル１が画像形成装置を構成する各部品に貼付されている。
【００１６】
デカル１には、対象部品を構成する材料名およびリサイクル情報が記載されている。リサイクル情報としては、部品再利用，材料再利用，燃料利用（エネルギーリサイクル），リサイクル不可等があり、それらの情報がリサイクル優先順位に分けてかつマークによって示されている。すなわち、図１に示すデカルからは、構成材料がＰＣ（ポリカーボネイト）であり、部品再利用，材料再利用，燃料利用が可能であり、さらにリサイクルの優先順位は部品再利用，材料再利用，燃料利用（エネルギーリサイクル），リサイクル不可の順であることが、各マークから視覚的に判断できる。
【００１７】
このように構成したことにより、各部品の材料名はもちろんのこと、その部品が部品として再利用できるか否か、材料として再利用するか、燃料として利用できるか、リサイクル不可能な部品かを部品内の一箇所にまとめて表示することにより、一目でリサイクル情報を得ることができる。
【００１８】
ところで、従来、金属材料にはリサイクルのための表示は行われなくても、通常材料として再利用されていた。しかし金属のような耐久性のある部品は今後部品として再使用できる可能性があるため、金属部品の各々にリサイクル表示が必要となる。そこで金属部品における小さな部品には刻印で表示し、大きな部品にはデカルシートで記載されると目視性が良く、視覚的に情報が得やすくなる。さらに、材料として再利用する場合には、デカルシートが樹脂材料によって構成されていても、溶鉱炉で樹脂は消滅するために問題とはならない。また、金属材料にリサイクル表示をする際には、刻印やデカルシートによるものの他にも、直接印刷することで表示するようにしても良い。
【００１９】
また、樹脂材料からなる部品であれば、刻印，印刷，一体成形，デカル貼付によってリサイクル情報を表示できる。ここでデカル貼付を行う場合には、デカルの材料を貼付する部材と同一とするか、あるいは材料の再利用上混ざっても問題のない材料であることが望ましい。また、このように構成することにより、デカルの除去作業が必要なくなり、作業効率が向上する。
【００２０】
図２は本発明の第２実施形態の画像形成装置のリサイクル表示におけるリサイクル情報が記載されたデカルを示す説明図、図３は図２のデカルを貼着した画像形成装置の外観を示す斜視図であり、２はデカル、３は画像形成装置の本体、４は本体左カバー、５は、記録紙を収納し、本体３内部の記録紙を供給する本体給紙ユニット、６は各種の命令を入力するキーボード等を備えたオペポート、７はオペポート６に設けられたディスプレイ部、８は原稿の画像を読み取るスキャナユニット、９は原稿をスキャナユニット８に搬送する自動原稿搬送ユニット（ＡＤＦユニット）、１０は画像記録後に排出された記録紙をスタックする記録紙トレイを示す。
【００２１】
デカル２は、本体左カバー４に貼付されており、その内容は図２に示すように各種の部品名とその部品の材料名、さらに部品に対応するリサイクル情報が記載されている。すなわちデカル２は、画像形成装置を構成する各部品に対応するリサイクル情報を一覧としてまとめたものである。
【００２２】
このように構成したことにより、部品のリサイクルをする上で、分解する以前に各部品のリサイクル性を確認することができ、さらにリサイクル内容がシート化されることにより作業の効率化が図れる。
【００２３】
なお、上述した第２実施形態ではデカル２に部品名，材料名，リサイクル情報が記載されているが、その他に位置，形状，名称，部番等の項目を設けて表示しても良い。また、分解リサイクルのチェックシートとして活用しても良い。
【００２４】
【発明の効果】
以上、説明したように構成された本発明によれば、各部品におけるリサイクル表示が明白になり、リサイクルにかかる作業効率が大幅に向上する。
【図面の簡単な説明】
【図１】本発明の第１実施形態の画像形成装置のリサイクル表示におけるリサイクル情報が記載されたデカルを示す説明図である。
【図２】本発明の第２実施形態の画像形成装置のリサイクル表示におけるリサイクル情報が記載されたデカルを示す説明図である。
【図３】図２のデカルを貼着した画像形成装置の外観を示す斜視図である。
【符号の説明】
１，２…デカル、  ３…本体、  ４…本体左カバー、  ５…本体給紙ユニット、６…オペポート、  ７…ディスプレイ部、  ８…スキャナユニット、  ９…自動原稿搬送ユニット（ＡＤＦユニット）、  １０…記録紙トレイ。
【図１】
0003598206.tif 000002
【図２】
0003598206.tif 000003
【図３】
0003598206.tif 000004